(57)【要約】      （修正有）【課題】左右の支持フレームユニットが逆にして組立てられることを抑制することのできる椅子を提供する。【解決手段】椅子Ｃは、第１前脚３２、第１後脚３３、及び第１前脚と第１後脚とを一体に連結する第１アームレスト３４及び第１ベース板３１を含む右側支持フレームユニット３と、第２前脚４２、第２後脚４３、及び第２前脚と第２後脚とを一体に連結する第２アームレスト４４及び第２ベース板４１を含む左側支持フレームユニット４と、第１前脚と第２前脚とを連結する前貫１２と、第１後脚と第２後脚とを連結する後貫１３と、を備える。第１後脚の内側面は第１前脚の内側面よりも椅子の外側に位置し、第２後脚の内側面は第２前脚の内側面よりも椅子の外側に位置し、前貫の長さは後貫の長さよりも短い。【選択図】図１
0003211433.tif 000002
【実用新案登録請求の範囲】
【請求項１】
第１前脚３２、第１後脚３３、及びこれらの第１前脚と第１後脚とを一体に連結する第１アームレスト３４及び第１ベース板３１を含む右側支持フレームユニット３と、
第２前脚４２、第２後脚４３、及びこれらの第２前脚と第２後脚とを一体に連結する第２アームレスト４４及び第２ベース板４１を含む左側支持フレームユニット４と、
前記第１前脚と前記第２前脚とを連結する前貫１２と、
前記第１後脚と前記第２後脚とを連結する後貫１３と、
を備える椅子であって、
前記第１後脚の内側面は前記第１前脚の内側面よりも椅子の外側に位置し、前記第２後脚の内側面は前記第２前脚の内側面よりも椅子の外側に位置する、ことを特徴とする椅子。
【請求項２】
請求項１に記載の椅子において、
前記前貫は前記第１前脚の内側面と前記第２前脚の内側面とに固定されることにより前記第１前脚と前記第２前脚とを連結するとともに、前記後貫は前記第１後脚の内側面と前記第２後脚の内側面とに固定されることにより前記第１前脚と前記第２前脚とを連結し、前記前貫の長さは前記後貫の長さよりも短い、ことを特徴とする椅子。
【請求項３】
第１前脚、第１後脚、及びこれらの第１前脚と第１後脚とを一体に連結する第１アームレスト及び第１ベース板を含む右側支持フレームユニットと、
第２前脚、第２後脚、及びこれらの第２前脚と第２後脚とを一体に連結する第２アームレスト及び第２ベース板を含む左側支持フレームユニットと、
前記第１前脚と前記第２前脚とを連結する前貫と、
前記第１後脚と前記第２後脚とを連結する後貫と、
を備える椅子であって、
前記第１後脚の内側面は前記第１前脚の内側面よりも椅子の内側に位置し、前記第２後脚の内側面は前記第２前脚の内側面よりも椅子の内側に位置する、ことを特徴とする椅子。
【請求項４】
請求項３に記載の椅子において、
前記前貫は前記第１前脚の内側面と前記第２前脚の内側面とに固定されることにより前記第１前脚と前記第２前脚とを連結するとともに、前記後貫は前記第１後脚の内側面と前記第２後脚の内側面とに固定されることにより前記第１前脚と前記第２前脚とを連結し、前記前貫の長さは前記後貫の長さよりも長い、ことを特徴とする椅子。
【考案の詳細な説明】
【技術分野】
【０００１】
本考案は、複数の部材によって組立てられた支持フレームを備える椅子に関する。
【背景技術】
【０００２】
従来から、複数の部材によって組立てられた支持フレームを備える椅子が知られている。このような椅子は、例えば引用文献１に開示された構成を採用することが一般的である。すなわち、支持フレームは、左側支持フレームユニット及び右側支持フレームユニットを含み、左右側の支持フレームはそれぞれ前脚及び後脚を備えている。左側支持フレームユニットの前脚と右側支持フレームユニットの前脚とは前貫によって連結されるとともに、左側支持フレームユニットの後脚と右側支持フレームユニットの後脚とは後貫によって連結されている。また、近年では各パーツが分解された状態で使用者に届けられ、使用者が自分で組み立ててから使用する椅子が増えている。
【先行技術文献】
【特許文献】
【０００３】
【特許文献１】実用新案登録第３１８９４１７号公報
【考案の概要】
【考案が解決しようとする課題】
【０００４】
ところが、通常、上述した椅子の左側支持フレームと右側支持フレームとが対称しており非常に似ているため、使用者が左右の支持フレームユニットを逆にして椅子を組立ててしまうことがある。この場合は、連結部材等は当初に設計した状態で使用されず、椅子の安定性が低下するおそれがある。
【０００５】
本考案の目的は、左右の支持フレームユニットが逆にして組立てられることを抑制することのできる椅子を提供することにある。
【課題を解決するための手段】
【０００６】
上記目的を達成するため、本考案の第１の態様は第１前脚、第１後脚、及びこれらの第１前脚と第１後脚とを一体に連結する第１アームレスト及び第１ベース板を含む右側支持フレームユニットと、第２前脚、第２後脚、及びこれらの第２前脚と第２後脚とを一体に連結する第２アームレスト及び第２ベース板を含む左側支持フレームユニットと、前記第１前脚と前記第２前脚とを連結する前貫と、前記第１後脚と前記第２後脚とを連結する後貫と、を備える椅子であって、前記第１後脚の内側面は前記第１前脚の内側面よりも椅子の外側に位置し、前記第２後脚の内側面は前記第２前脚の内側面よりも椅子の外側に位置する。
【０００７】
より好ましくは、前記前貫は前記第１前脚の内側面と前記第２前脚の内側面とに固定されることにより前記第１前脚と前記第２前脚とを連結するとともに、前記後貫は前記第１後脚の内側面と前記第２後脚の内側面とに固定されることにより前記第１前脚と前記第２前脚とを連結し、前記前貫の長さは前記後貫の長さよりも短い。
【０００８】
本考案の第２の態様は、第１前脚、第１後脚、及びこれらの第１前脚と第１後脚とを一体に連結する第１アームレスト及び第１ベース板を含む右側支持フレームユニットと、第２前脚、第２後脚、及びこれらの第２前脚と第２後脚とを一体に連結する第２アームレスト及び第２ベース板を含む左側支持フレームユニットと、前記第１前脚と前記第２前脚とを連結する前貫と、前記第１後脚と前記第２後脚とを連結する後貫と、を備える椅子であって、前記第１後脚の内側面は前記第１前脚の内側面よりも椅子の内側に位置し、前記第２後脚の内側面は前記第２前脚の内側面よりも椅子の内側に位置する。
【０００９】
より好ましくは、前記前貫は前記第１前脚の内側面と前記第２前脚の内側面とに固定されることにより前記第１前脚と前記第２前脚とを連結するとともに、前記後貫は前記第１後脚の内側面と前記第２後脚の内側面とに固定されることにより前記第１前脚と前記第２前脚とを連結し、前記前貫の長さは前記後貫の長さよりも長い。
【考案の効果】
【００１０】
本考案によれば、第１後脚の内側面は第１前脚の内側面よりも椅子の外側に位置し、第２後脚の内側面は第２前脚の内側面よりも椅子の外側に位置しているため、仮に使用者が右側支持フレームユニットと左側支持フレームユニットとを逆にして組立てようとする場合、つまり右側支持フレームユニットを椅子の左側に置いて、左側支持フレームユニットを椅子の右側に置いて、前貫及び後貫を第１，第２前脚及び第１，第２後脚に固定しようとする場合、前貫及び後貫の長さは第１，第２前脚間の距離及び第１，第２後脚間の距離とは合わないため、組立自体ができない。すなわち、右側支持フレームユニット左側支持フレームユニット４を逆にして組立てようとすると、当初に設計した第１，第２前脚の内側面は、椅子の外側の面になり、実際に椅子の内側に位置する面の間の距離が設計された距離よりも短くなる。その結果、使用者が右側支持フレームユニットと左側支持フレームユニットとを逆の位置に配置したことに気づき、左右の支持フレームユニットが逆にして組立てられることを防止することができる。
【図面の簡単な説明】
【００１１】
【図１】本考案の一実施形態にかかる椅子の斜視図。
【図２】アームレストと左右の支持フレームユニットとの位置関係を示す概略平面図。
【図３】前貫及び後貫を示す概略底面図。
【図４】左右の支持フレームユニットを逆にした場合の態様を示す概略平面図。
【図５】本考案の別の実施形態にかかる椅子の概略平面図。
【考案を実施するための形態】
【００１２】
以下、本実用新案にかかる椅子の一実施形態について説明する。
図１に示されるように、椅子Ｃは座部１、座部１と所定の角度を形成するように同座部１に固定された背もたれ２、及びこれらの座部１、背もたれ２を支持する支持フレーム１００を備えている。支持フレーム１００は右側支持フレームユニット３及び左側支持フレームユニット４を備えている。
【００１３】
右側支持フレームユニット３は、第１前脚３２と、第１後脚３３と、第１前脚３２及び第１後脚３３の上部に固定された第１アームレスト３４と、第１前脚３２及び第１後脚３３の下部に固定された第１ベース板３１とを備えている。第１ベース板３１は、床と接触して椅子全体を支持する部材であり、更に第１前脚３２と第１後脚３３とをこれらの下端部において連結する機能を有する。第１アームレスト３４は、使用者の腕又は手を支持する部材であり、更に第１前脚３２と第１後脚３３とをこれらの上端部において連結する機能も有する。
【００１４】
左側支持フレームユニット４は、第２前脚４２と、第２後脚４３と、第２前脚４２及び第２後脚４３の上部に固定された第２アームレスト４４と、第２前脚４２及び第２後脚４３の下部に固定された第２ベース板４１とを備えている。第２ベース板４１は、床と接触して椅子全体を支持する部材であり、更に第２前脚４２と第２後脚４３とをこれらの下端部において連結する機能を有する。第２アームレスト４４は、使用者の腕又は手を支持する部材であり、更に第２前脚４２と第２後脚４３とをこれらの上端部において連結する機能も有する。
【００１５】
第１前脚３２と第２前脚４２とは、前貫１２によって連結されており、第１後脚３３と第２後脚３４とは、後貫１３によって連結されている。具体的には、第１，第２前脚３２，４２において上下方向に沿って並ぶ複数の取付孔Ｈがそれぞれ形成されており、第１前脚３２における取付孔Ｈと第２前脚４２における取付孔Ｈとは同じ高さに位置し、互いに対応して複数対になっている。一方、前貫１２の長さ方向両端において、第１，第２前脚３２，４２における何れか一対の取付孔Ｈに対応する固定孔がそれぞれ形成されている。組立の際には、前貫１２が第１前脚３２の内側面３２ａ及び第２前脚４２の内側面４２ａに当接し、前貫１２の固定孔が第１，第２前脚３２，４２の一対の取付孔Ｈに対応した状態で、ボルトが取付孔Ｈに挿通されて前貫１２の固定孔に螺入されることにより、前貫１２が第１前脚３２の内側面３２ａ及び第２前脚４２の内側面４２ａに固定される。
【００１６】
同様に、第１，第２後脚３３，４３において上下方向に沿って並ぶ複数の取付孔Ｈがそれぞれ形成されており、第１後脚３３における取付孔Ｈと第２後脚４３における取付孔Ｈとは同じ高さに位置し、互いに対応して複数対になっている。一方、後貫１３の長さ方向両端において、第１，第２後脚３３，４３における何れか一対の取付孔Ｈに対応する固定孔がそれぞれ形成されている。組立の際には、後貫１３が第１後脚３３の内側面３３ａ及び第２後脚４３の内側面４３ａに当接し、後貫１３の固定孔が第１，第２後脚３３，４３の一対の取付孔Ｈに対応した状態で、ボルトが取付孔Ｈに挿通されて後貫１３の固定孔に螺入されることにより、後貫１３が第１後脚３３の内側面３３ａ及び第２後脚４３の内側面４３ａに固定される。
【００１７】
このように構成された支持フレーム１００は、座部１及び背もたれ２に固定されてこれらを支持している。また、使用者は自分の身長や好みに合わせて、前貫１２及び後貫１３の固定孔が対応する第１，第２前脚３２，４２及び第１，第２後脚３３，４３の取付孔Ｈを変更することにより座部１及び背もたれ２の高さを調整できる。
【００１８】
本考案にかかる椅子は、各パーツが分解された状態で使用者に届けられ、使用者が自分で組み立ててから使用するものである。使用者が左右の支持フレームユニットを逆にして椅子を組立てられてしまうと、連結部材等は当初に設計した状態で使用されず、椅子の安定性が低下するおそれがある。本考案は、左右の支持フレームユニットが逆にして組立てられることを防止する構成を採用している。すなわち、図２に示されるように、第１後脚３３の内側面３３ａは第１前脚３２の内側面３２ａよりも椅子の外側に位置し、第２後脚４３の内側面４３ａは第２前脚４２の内側面４２ａよりも椅子の外側に位置している。また、前貫１２の長さＬ１は後貫１３の長さＬ２よりも短くなっている。
【００１９】
本実施形態により、以下の効果を得ることができる。
上述のように第１後脚３３の内側面３３ａは第１前脚３２の内側面３２ａよりも椅子の外側に位置し、第２後脚４３の内側面４３ａは第２前脚４２の内側面４２ａよりも椅子の外側に位置しているため、仮に使用者が右側支持フレームユニット３と左側支持フレームユニット４とを逆にして組立てようとする場合、つまり右側支持フレームユニット３を椅子Ｃの左側に置いて、左側支持フレームユニット４を椅子Ｃの右側に置いて、前貫１２及び後貫１３を第１，第２前脚３２，４２及び第１，第２後脚３３，４３に固定しようとする場合、前貫１２，後貫１３の長さＬ１，Ｌ２は第１，第２後脚３３，４３間の距離とは合わないため、組立自体ができない。すなわち、図４に示されるように、右側支持フレームユニット３と左側支持フレームユニット４とを逆にして組立てようとすると、当初に設計した第１，第２後脚３３，４３の内側面３３ａ，４３ａは、椅子Ｃの外側の面になり、実際に椅子Ｃの内側に位置する面３３ｂ，４３ｂの間の距離Ｌｘが設計された距離Ｌ２よりも短くなる。また、当初に設計した第１，第２前脚３２，４２の内側面３２ａ，４２ａは、椅子Ｃの外側の面になり、実際に椅子Ｃの内側に位置する面４３ｂ，３３ｂの間の距離Ｌｙが設計された距離Ｌ１よりも長くなる。その結果、使用者が右側支持フレームユニット３と左側支持フレームユニット４とを逆の位置に配置したことに気づき、左右の支持フレームユニットが逆にして組立てられることを防止することができる。
【００２０】
本実施形態は以下のように変形することもできる。
・上述の実施形態では、第１後脚３３の内側面３３ａが第１前脚３２の内側面３２ａよりも椅子の外側に位置し、第２後脚４３の内側面４３ａが第２前脚４２の内側面４２ａよりも椅子の外側に位置している構成を採用した。しかし、これに限定せず、例えば図５に示されるように、第１後脚１３３の内側面１３３ａが第１前脚１３２の内側面１３２ａよりも椅子の内側に位置し、第２後脚１４３の内側面１４３ａが第２前脚１４２の内側面１４２ａよりも椅子の内側に位置している構成を採用することもできる。なお、この場合は、前貫１２の長さＬ３は後貫１３の長さＬ４よりも長い。なお、この構成を採用する場合であっても、上述した実施形態と同様の作用効果を得られる。
・上述の実施形態では左右の支持フレームユニットがアームレスト３４，４４を含む構成を採用した。しかし、これに限らず、アームレストが座部１又は背もたれ２に固定された椅子においても、本考案を適用することができる。
・上述の実施形態では、第１，第２前脚３２，４２、第１，第２後脚３３，４３において取付孔Ｈがそれぞれ複数形成されている。しかし、これに限らず、座部１及び背もたれ２の高さを調整する機能が必要ではない場合は、各脚において取付孔が１つずつ形成される構成を採用することもできる。
【符号の説明】
【００２１】
３            右側支持フレームユニット
４            左側支持フレームユニット
１２          前貫
１３          後貫
３１          第１ベース板
３２          第１前脚
３３          第１後脚
３４          第１アームレスト
４１          第２ベース板
４２          第２前脚
４３          第２後脚
４４          第２アームレスト
【図１】
0003211433.tif 000003
【図２】
0003211433.tif 000004
【図３】
0003211433.tif 000005
【図４】
0003211433.tif 000006
【図５】
0003211433.tif 000007